(57)【要約】【課題】  初期動作を容易に実行させること。【解決手段】  プリンタは、本体部の内部を開閉可能なカバー部と、初期動作を実行する（Ｓ０２）ＣＰＵ１１１と、カバー２の開閉を検出するための開閉スイッチ１７０と、を備え、ＣＰＵ１１１は、所定時間Ｔ内において開閉スイッチ１７０が開閉を検出した回数をカウントし（Ｓ１０）、電源が投入される時（Ｓ０１でＹＥＳ）、およびカウント値が所定回数Ｃになる時に（Ｓ１１でＹＥＳ）、初期動作を実行する（Ｓ０２）。【選択図】        図３
2009132053.tif 000002
【特許請求の範囲】
【請求項１】
装置の内部を開閉可能なカバーと、
初期動作を実行する初期動作実行手段と、
前記カバーの開閉を検出するための状態検出手段と、を備え、
前記初期動作実行手段は、所定時間内において前記状態検出手段が開閉を検出した回数をカウントするカウント手段を含み、
電源が投入される時、および前記カウント手段によるカウント値が所定回数になる時に、前記初期動作を実行する、画像形成装置、
【請求項２】
装置の内部を開閉可能なカバーと、
初期動作を実行する初期動作実行手段と、
前記カバーの開閉を検出するための状態検出手段と、
所定時間内において前記状態検出手段が開閉を検出した回数が所定の回数になると、前記初期動作実行手段にリセット信号を出力するリセット手段と、を備え、
前記初期動作実行手段は、電源が投入される時、および前記リセット信号が入力される時に、前記初期動作を実行する、画像形成装置。
【発明の詳細な説明】
【技術分野】
【０００１】
この発明は、画像形成装置に関し、特に、電源スイッチを有しない画像形成装置に関する。
【背景技術】
【０００２】
近年、プリンタ等で代表される画像形成装置において、電源スイッチを有しないものが登場してきている。この種の画像形成装置においては、電源コードを商用電源が供給されるコンセントに挿入することにより、電源が供給される。しかしながら、電源スイッチを有しないために、画像形成装置がトラブルで停止した場合に画像形成装置をリセットするためには、電源コードをコンセントから抜くなどして、画像形成装置に供給される電力を遮断するしかない。コンセントが電源コードを挿入しやすい位置に配置されていればよいが、そうでない場合には画像形成装置を移動させるなどしなければならず、困難な作業をユーザに強いることになる。
【０００３】
一方、特開２００４−２０２６９２号公報には、交流電源で駆動される交流負荷を有する画像形成装置であって、単一電源電圧の電源線および信号線を含むケーブルを介して外部装置と接続するための接続端子と、交流負荷に対する交流電源が入力される交流電源入力端子と、前記交流電源に基づいて、前記単一電源電圧より高電圧の直流電源電圧を生成する駆動電源部と、前記交流電源入力端子と前記駆動電源部との間に接続されたスイッチ手段と、前記外部装置からの単一電源電圧を内部のロジック用電源として利用し、装置動作を制御する制御部とを備え、この制御部は、前記外部装置から前記単一電源電圧の供給を受けている状態で、待機状態になったとき、前記スイッチ手段に対してオフ信号を発生することにより前記駆動電源部に対する交流電源の入力を遮断し、前記外部装置からの信号受信により待機状態が解除されたとき、前記スイッチ手段に対してオン信号を発生することにより前記駆動電源部に対して交流電源を入力することを特徴とする画像形成装置が記載されている。
【０００４】
しかしながら、従来の画像形成装置においては、外部装置から単一電源電圧と待機状態を解除するための信号とが入力される必要があるため、外部装置と接続しなければならない。このため、装置の構成が複雑になるといった問題があった。
【特許文献１】特開２００４−２０２６９２号公報
【発明の開示】
【発明が解決しようとする課題】
【０００５】
この発明は上述した問題点を解決するためになされたもので、この発明の目的の１つは、初期動作を容易に実行させることが可能な画像形成装置を提供することである。
【課題を解決するための手段】
【０００６】
上述した目的を達成するためにこの発明のある局面によれば、画像形成装置は、装置の内部を開閉可能なカバーと、初期動作を実行する初期動作実行手段と、カバーの開閉を検出するための状態検出手段と、を備え、初期動作実行手段は、所定時間内において状態検出手段が開閉を検出した回数をカウントするカウント手段を含み、電源が投入される時、およびカウント手段によるカウント値が所定回数になる時に、初期動作を実行する。
【０００７】
この局面に従えば、所定時間内においてカバーの開閉が所定回数検出されると、初期動作が実行される。このため、カバーを所定回数開閉する簡単な操作で、初期動作を開始させることができるので、初期動作を容易に実行させることが可能な画像形成装置を提供することができる。
【０００８】
この発明のさらに他の局面によれば、画像形成装置は、装置の内部を開閉可能なカバーと、初期動作を実行する初期動作実行手段と、カバーの開閉を検出するための状態検出手段と、所定時間内において状態検出手段が開閉を検出した回数が所定の回数になると、初期動作実行手段にリセット信号を出力するリセット手段と、を備え、初期動作実行手段は、電源が投入される時、およびリセット信号が入力される時に、初期動作を実行する。
【０００９】
この局面に従えば、所定時間内においてカバーの開閉が所定回数検出されると、リセット信号が入力され、リセット信号が入力される時に、初期動作が実行される。このため、カバーを所定回数開閉する簡単な操作で、初期動作を開始させることができるので、初期動作を容易に実行させることが可能な画像形成装置を提供することができる。
【発明を実施するための最良の形態】
【００１０】
以下、本発明の実施の形態について図面を参照して説明する。以下の説明では同一の部品には同一の符号を付してある。それらの名称および機能も同じである。したがってそれらについての詳細な説明は繰返さない。
【００１１】
図１（Ａ）および図１（Ｂ）は、本発明の実施の形態の１つにおけるプリンタ１００の外観を示す斜視図である。図１（Ａ）は、使用状態におけるプリンタ１００の斜視図を示し、図１（Ｂ）は、開放状態におけるプリンタ１００の斜視図を示す。図１（Ａ）および図１（Ｂ）を参照して、プリンタ１００は、本体部３と、カバー部２とを含む。カバー部２は、本体部３と回転可能に接続され、本体部３の内部を開閉可能である。図１（Ａ）に示すカバー部２が閉じた状態において、プリンタ１００は動作可能である。図１（Ｂ）に示すカバー部２が開いた開放状態において、本体部３の内部が外部に露出する。開放状態において、ユーザがメンテナンス作業をすることができる。例えば、紙詰まりのトラブルの場合に、内部に詰まった紙を除去する作業、トナーを交換する作業などである。本体部３は、開閉スイッチ１７０を備える。開閉スイッチ１７０は、カバー部２の開閉を検出し、カバー部２が閉じた状態でＯＮになり、それ以外でＯＦＦとなる。
【００１２】
図２は、第１の実施の形態におけるプリンタのハードウェア構成の一例を示すブロック図である。図２を参照して、プリンタ１００は、メイン回路１１０と、画像を用紙等に形成するための画像形成部１２０と、画像形成部１２０に用紙を供給するための給紙部１３０と、ユーザインターフェースとしての操作パネル１４０と、電源ユニット１６０と、を含む。メイン回路１１０は、ＣＰＵ１１１と、通信インターフェース（Ｉ／Ｆ）部１１２と、ＲＯＭ１１３と、ＲＡＭ１１４と、フラッシュメモリ１１５Ａが装着されるカードインターフェース（Ｉ／Ｆ）１１５とを含む。ＣＰＵ１１１は、画像形成部１２０、給紙部１３０および操作パネル１４０と接続され、プリンタ１００の全体を制御する。
【００１３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。
【００１４】
ＣＰＵ１１１は、後述する電源ユニット１６０から電力が供給されると、初期動作を実行する。初期動作は、次の処理を含む。
（１）リスタート処理
ＲＯＭ１１３に記憶されている制御プログラムをリスタートする処理。
（２）クリア処理
ＲＡＭ１１４に記憶されているデータを消去する処理。
（３）ヒーターウォームアップ処理
画像形成部１２０が備える定着ローラの温度を所定の温度まで上昇させる処理。
（４）接続確認処理
オプションとしてプリンタ１００に装着されている装置との接続を確認する処理。
（５）画像安定化処理
画像形成部１２０により形成される画像の品質を定めるパラメータを決定するための処理であって、例えば、色合いを調整するためのパラメータを決定する処理、色合わせを調整するためのパラメータを決定する処理。
（６）消耗品管理処理
トナーまたは感光体などの消耗品の交換時期を判定する処理と、交換時期を管理するためのデータをバックアップする処理。
（７）エラー判定処理
紙詰まりエラー、通信エラー、駆動系のエラーを検出する処理。
【００１５】
操作パネル１４０は、プリンタ１００の上面に設けられ、表示部１４０Ａと操作部１４０Ｂとを含む。表示部１４０Ａは、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した画像データに関する情報等を表示する。操作部１４０Ｂは、複数のキーを備え、キーに対応するユーザの操作による各種の指示、文字、数字などのデータの入力を受付ける。操作部１４０Ｂは、表示部１４０Ａ上に設けられたタッチパネルをさらに含む。
【００１６】
電源ユニット１６０は、商用電源から交流の電力が供給される。電源ユニット１６０は、商用電源から供給される交流を５Ｖと２４Ｖの直流に変換する。電源ユニット１６０は、５Ｖの出力端子と、２４Ｖの出力端子と、接地端子とを含む。５Ｖの出力端子は、メイン回路１１０および操作パネル１４０にそれぞれ接続される。接地端子は、メイン回路１１０、画像形成部１２０、給紙部１３０および操作パネル１４０にそれぞれ接続される。２４Ｖの出力端子は開閉スイッチ１７０の一端に接続される。開閉スイッチ１７０の他端は、画像形成部１２０、給紙部１３０およびＣＰＵ１１１にそれぞれ接続される。
【００１７】
メイン回路１１０および操作パネル１４０は、電源ユニット１６０が商用電源から電力が供給されている間は、５Ｖの電圧が印加され、動作可能である。画像形成部１２０および給紙部１３０は、開閉スイッチ１７０を介して電源ユニット１６０の２４Ｖの端子と接続される。このため、画像形成部１２０および給紙部１３０は、電源ユニット１６０が商用電源から電力が供給されており、かつ、開閉スイッチ１７０が閉じているとき（ＯＮのとき）は、電源ユニット１６０から２４Ｖの電力が供給され、動作するが、開閉スイッチ１７０が開いているとき（ＯＦＦのとき）は、電源ユニット１６０から２４Ｖの電力が供給されないので、動作しない。
【００１８】
ＣＰＵ１１１は、電源ユニット１６０の５Ｖの出力端子と接地端子と接続されるので、電源ユニット１６０が商用電源から電力が供給されている間は、５Ｖの電圧が印加され、動作可能である。また、ＣＰＵ１１１は、開閉スイッチ１７０の他端と接続されており、開閉スイッチ１７０の他端の電圧を検出することにより、開閉スイッチ１７０のＯＮまたはＯＦＦを検出することができる。ＣＰＵ１１１は、所定時間内に開閉スイッチ１７０がＯＦＦからＯＮになる回数をカウントするカウンタを備えており、カウンタのカウント値が所定の値になると、初期動作を実行する。所定の値は、２以上の整数である。
【００１９】
通信Ｉ／Ｆ部１１２は、プリンタ１００をネットワークに接続するためのインターフェースである。ＣＰＵ１１１は、通信Ｉ／Ｆ部１１２を介してネットワークに接続されたコンピュータとの間で通信し、プリントデータを受信する。また、通信Ｉ／Ｆ部１１２は、ネットワークを介してインターネットに接続された他のコンピュータと通信が可能である。
【００２０】
カードＩ／Ｆ１１５は、フラッシュメモリ１１５Ａが装着される。ＣＰＵ１１１は、カードＩ／Ｆ１１５を介してフラッシュメモリ１１５Ａにアクセス可能である。ＣＰＵ１１１は、カードＩ／Ｆ１１５に装着されたフラッシュメモリ１１５Ａに記録されたプログラムをＲＡＭ１１４にロードして実行する。なお、ＣＰＵ１１１が実行するプログラムは、フラッシュメモリ１１５Ａに記録されたプログラムに限られず、フラッシュメモリ１１５Ａに記憶されたプログラムをＲＡＭ１１４にロードして実行するようにしてもよい。さらに、ネットワークに接続された他のコンピュータが、フラッシュメモリ１１５Ａに記憶されたプログラムを書換える、または、新たなプログラムを追加して書き込むようにしてもよい。さらに、プリンタ１００が、ネットワークに接続された他のコンピュータからプログラムをダウンロードして、そのプログラムをフラッシュメモリ１１５Ａに記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００２１】
図３は、リセット処理の流れの一例を示すフローチャートである。リセット処理は、ＣＰＵ１１１がリセットプログラムを実行することにより、ＣＰＵ１１１により実行される処理である。図３を参照して、ＣＰＵ１１１は、電源がＯＮになったか否かを判断する（ステップＳ０１）。具体的には、電源ユニット１６０から５Ｖの電圧が印加されたか否かを判断する。電源ユニット１６０から５Ｖの電圧が印加されるまで待機状態となり、電源ユニット１６０から５Ｖの電圧が印加されると処理をステップＳ０２に進める。すなわち、リセット処理は、外部から電力が供給されることを条件に実行される処理である。
【００２２】
ステップＳ０２においては、初期動作処理を実行する。初期動作処理は、上述した動作を実行する処理である。そして、カウンタＮを「０」に設定し、処理をステップＳ０４に進める。カウンタＮは、開閉スイッチ１７０がＯＦＦからＯＮに切換わった回数を示す。
【００２３】
ステップＳ０４においては、開閉スイッチ１７０がＯＦＦになったか否かを判断する。開閉スイッチ１７０の他端の電圧が０になった場合に、開閉スイッチ１７０がＯＦＦになったと判断する。開閉スイッチ１７０のＯＦＦを検出したならば処理をステップＳ０５に進め、そうでなければ処理をステップＳ１２に進める。
【００２４】
ステップＳ０５においては、カウンタＮが「０」に設定されているか否かを判断する。カウンタＮが「０」に設定されていれば処理をステップＳ０６に進め、そうでなければステップＳ０６をスキップして処理をステップＳ０７に進める。ステップＳ０６においては、タイマをスタートさせる。タイマは、開閉スイッチ１７０が最初にＯＦＦになってから経過する時間を計時する。
【００２５】
次のステップＳ０７においては、開閉スイッチ１７０がＯＮになったか否かを判断する。開閉スイッチ１７０の他端の電圧が所定の電圧（２４Ｖ）になる場合に、開閉スイッチ１７０がＯＮになったと判断する。開閉スイッチ１７０のＯＮを検出するまで待機状態となり（ステップＳ０７でＮＯ）、開閉スイッチ１７０のＯＮを検出したならば処理をステップＳ０８に進める。ステップＳ０８においては、タイマ値が所定の時間Ｔ以上か否かを判断する。タイマ値が所定の時間Ｔ以上ならば処理をステップＳ０９に進めるが、そうでなければ処理をステップＳ１０に進める。
【００２６】
ステップＳ０９においては、タイマ値を「０」にリセットし、処理をステップＳ１２に進める。一方、ステップＳ１０においては、カウンタＮを１加算した値に更新し、処理をステップＳ１１に進める。ステップＳ１１においては、カウンタＮが所定の回数Ｃ（Ｃは、２以上の整数）以上か否かを判断する。カウンタＮが所定の回数Ｃ以上ならば処理をステップＳ０２に戻し、そうでなければ処理をステップＳ１２に進める。
【００２７】
ステップＳ１２においては、プリント指示を受け付けたか否かを判断する。通信Ｉ／Ｆ部１１２がネットワークに接続された他のＰＣからプリントデータを受信したならばプリント指示を受け付けたと判断する。プリント指示を受け付けたならば処理をステップＳ１３に進め、そうでなければステップＳ１３をスキップして処理をステップＳ１４に進める。
【００２８】
ステップＳ１４においては、電源がＯＦＦになったか否かを判断する。具体的には、電源ユニット１６０から５Ｖの電圧が印加されなくなったか否かを判断する。電源がＯＦＦになったならば処理を終了するが、そうでなければ処理をステップＳ０４に戻す。
【００２９】
以上説明したように、プリンタ１００は、本体部３の内部を開閉可能なカバー部２と、初期動作を実行するＣＰＵ１１１と、カバー部２の開閉を検出するための開閉スイッチ１７０と、を備え、ＣＰＵ１１１は、所定時間Ｔ内において開閉スイッチ１７０が開閉を検出した回数をカウントし、電源が投入される時、およびカウント値が所定回数Ｃになる時に、初期動作を実行する。このため、カバー部２を所定時間Ｔ内に所定回数Ｃ開閉する簡単な操作で、プリンタ１００に初期動作を開始させることができる。
【００３０】
＜第２の実施の形態＞
第１の実施の形態におけるプリンタ１００は、ＣＰＵ１１１がカバー部２の開閉回数をカウントするようにしたが、第２の実施の形態におけるプリンタ１００Ａは、ＣＰＵ１１１とは別に設けられた検出回路１５０においてカバー部２の開閉回数をカウントする点が異なる。以下、第２の実施の形態におけるプリンタ１００Ａについて、第１の実施の形態におけるプリンタ１００と異なる点を説明する。
【００３１】
図４は、第２の実施の形態におけるプリンタのハードウェア構成の一例を示すブロック図である。図４を参照して、図２に示したプリンタ１００の構成と異なる点は、検出回路１５０が追加された点である。その他の構成は同じなのでここでは説明を繰り返さない。
【００３２】
図４を参照して、プリンタ１００Ａが備える電源ユニット１６０の５Ｖの出力端子と接地端子とは、メイン回路１１０と検出回路１５０と操作パネルにそれぞれ接続され、２４Ｖの出力端子は開閉スイッチ１７０の一端に接続される。開閉スイッチ１７０の他端は、検出回路１５０に接続される。このため、メイン回路１１０のＣＰＵ１１１は、電源ユニット１６０が商用電源から電力が供給されている間は、５Ｖの電圧が印加され、動作可能である。
【００３３】
検出回路１５０は、電源ユニット１６０の５Ｖの出力端子と接地端子と接続される。このため、検出回路１５０は、電源ユニット１６０が商用電源から電力が供給されている間は、５Ｖの電圧が印加され、動作可能である。また、検出回路１５０は、開閉スイッチ１７０を介して電源ユニット１６０の２４Ｖの端子と接続される。開閉スイッチ１７０が閉じているとき（ＯＮのとき）は、電源ユニット１６０から２４Ｖの電力が供給され、２４Ｖの電力を画像形成部１２０および給紙部１３０に供給する。しかしながら、検出回路１５０は、開閉スイッチ１７０が開いているとき（ＯＦＦのとき）は、電源ユニット１６０から２４Ｖの電力が供給されないので、画像形成部１２０および給紙部１３０に電力を供給しない。
【００３４】
検出回路１５０は、所定時間内に開閉スイッチ１７０がＯＦＦからＯＮになるとワンショット信号を発生する回路と、ワンショット信号をカウントするカウンタを備えており、カウンタのカウント値が所定の値Ｃになると、ＣＰＵ１１１にリセット信号を出力する。所定の値は、２以上の整数である。
【００３５】
なお、検出回路１５０が、カウンタを備えるのに代えて、ワンショット信号を電圧値に変換し、電圧値が所定の電圧になった時にＣＰＵ１１１にリセット信号を出力する積分回路を備えるようにしてもよい。この場合、積分回路は、所定の時間が経過すると、積分値を０にリセットする。
【００３６】
図５は、リセット処理の流れの一例を示す別のフローチャートである。図５に示すリセット処理は、第２の実施の形態におけるプリンタが備えるＣＰＵ１１１がリセットプログラムを実行することにより、ＣＰＵ１１１により実行される処理である。図５を参照して、ＣＰＵ１１１は、電源がＯＮになったか否かを判断する（ステップＳ２１）。電源がＯＮになるまで待機状態となり、電源がＯＮになると処理をステップＳ０２に進める。ステップＳ２２においては、初期動作処理を実行する。
【００３７】
そして、検出回路１５０からリセット信号が入力されたか否かを判断する（ステップＳ２３）。リセット信号が入力されたならば処理をステップＳ２２に戻し、そうでなければ処理をステップＳ２４に進める。
【００３８】
ステップＳ２４においては、プリント指示を受け付けたか否かを判断する。プリント指示を受け付けたならば処理をステップＳ２５に進め、そうでなければステップＳ２５をスキップして処理をステップＳ２６に進める。ステップＳ２６においては、電源がＯＦＦになったか否かを判断する。電源がＯＦＦになったならば処理を終了するが、そうでなければ処理をステップＳ２３に戻す。
【００３９】
図６は、開閉検出処理の流れの一例を示すフローチャートである。開閉検出処理は、検出回路１５０が開閉検出プログラムを実行することにより実行される処理である。図６を参照して、検出回路１５０は、電源がＯＮになったか否かを判断する（ステップＳ３１）。具体的には、電源ユニット１６０から５Ｖの電圧が印加されたか否かを判断する。電源がＯＮになるまで待機状態となり、電源がＯＮになると処理をステップＳ３２に進める。すなわち、開閉検出処理は、外部から電力が供給されることを条件に実行される処理である。
【００４０】
ステップＳ３２〜ステップＳ３８までの処理は、図３に示したリセット処理のステップＳ０３〜ステップＳ０９の処理とそれぞれ同じである。したがって、ここでは説明を繰り返さない。ステップＳ３８においては、タイマをリセットした後、処理をステップＳ４１に進める。
【００４１】
ステップＳ３９においては、カウンタＮを１加算した値に更新し、処理をステップＳ４０に進める。ステップＳ４０においては、カウンタＮが所定の回数Ｃ（Ｃは、２以上の整数）以上か否かを判断する。カウンタＮが所定の回数Ｃ以上ならば処理をステップＳ４２に進め、そうでなければ処理をステップＳ４１に進める。
【００４２】
ステップＳ４２においては、ＣＰＵ１１１にリセット信号を出力し、処理をステップＳ４１に進める。ステップＳ４１においては、電源がＯＦＦになったか否かを判断する。具体的には、電源ユニット１６０から５Ｖの電圧が印加されなくなったか否かを判断する。電源がＯＦＦになったならば処理を終了するが、そうでなければ処理をステップＳ３３に戻す。
【００４３】
第２の実施の形態におけるプリンタ１００Ａは、本体部３の内部を開閉可能なカバー部２と、電源が投入されると、初期動作を実行するＣＰＵ１１１と、カバー部２の開閉を検出するための開閉スイッチ１７０と、所定時間Ｔ内において開閉スイッチ１７０の開閉を検出した回数が所定の回数Ｃ以上になると、ＣＰＵ１１１にリセット信号を出力する検出回路１５０と、を備えており、ＣＰＵ１１１は、リセット信号が入力されることに応じて、初期動作をさらに実行する。このため、カバー部２を所定時間Ｔ内に所定回数Ｃ以上開閉する簡単な操作で、初期動作を開始させることができる。
【００４４】
なお、上述した実施の形態においては、画像形成装置の一例としてプリンタ１００，１００Ａについて説明したが、ファクシミリ装置、複合機、またはＰＣの周辺装置などであってもよい。さらに、図３、図５および図６に示した処理を実行するためのリセット方法、またはリセット方法をコンピュータに実行させるためのリセットプログラムとして発明を捉えることができるのは言うまでもない。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４６】
＜付記＞
（１）前記リセット手段は、前記所定時間の間、前記状態検出手段が開閉を検出するごとに第１の電荷を蓄積する積分回路と、
前記積分回路に第２の電荷が蓄積されることに応じて、前記リセット信号を出力する信号出力回路と、を含む請求項２に記載の画像形成装置。
（２）前記リセット手段は、所定時間内において前記状態検出手段が開閉を検出した回数をカウントするカウント回路と、前記カウント回路によるカウント値が所定回数になることに応じて、前記リセット信号を出力する信号出力回路とを含む、請求項２に記載の画像形成装置。
【図面の簡単な説明】
【００４７】
【図１】本発明の実施の形態の１つにおけるプリンタの外観を示す斜視図である。
【図２】第１の実施の形態におけるプリンタのハードウェア構成の一例を示すブロック図である。
【図３】リセット処理の流れの一例を示すフローチャートである。
【図４】第２の実施の形態におけるプリンタのハードウェア構成の一例を示すブロック図である。
【図５】リセット処理の流れの一例を示す別のフローチャートである。
【図６】開閉検出処理の流れの一例を示すフローチャートである。
【符号の説明】
【００４８】
２  カバー部、３  本体部、１００，１００Ａ  プリンタ、１１０  メイン回路、１１１  ＣＰＵ、１１２  通信Ｉ／Ｆ部、１１３  ＲＯＭ、１１４  ＲＡＭ、１１５  カードＩ／Ｆ、１１５Ａ  フラッシュメモリ、１２０  画像形成部、１３０  給紙部、１４０  操作パネル、１４０Ａ  表示部、１４０Ｂ  操作部、１５０  検出回路、１６０  電源ユニット、１７０  開閉スイッチ。
【図１】
2009132053.tif 000003
【図２】
2009132053.tif 000004
【図３】
2009132053.tif 000005
【図４】
2009132053.tif 000006
【図５】
2009132053.tif 000007
【図６】
2009132053.tif 000008